(57)【要約】【課題】薬剤準備の負担が小さく、薬剤準備および薬剤注入に際してペースト状薬剤が手等に付着することもなく安定的かつ経済的に手技を行うことができるペースト状薬剤注入器具を提供する。【解決手段】本発明のペースト状薬剤注入器具１は、図１に示すように、先端開口部２および後端開口部３を備えペースト状薬剤Ｓを内部に収容するための筒状本体部４と、筒状本体部４内を長手方向に摺動可能に配されたプランジャー５とを有し、筒状本体部４は後部側壁部６にペースト状薬剤入りチューブＴを装着するための装着部７を備えている。【選択図】図１
2014226227.tif 000002
【特許請求の範囲】
【請求項１】
先端開口部および後端開口部を備えペースト状薬剤を内部に収容するための筒状本体部と、該筒状本体部内を長手方向に摺動可能に配されたプランジャーとを有し、前記筒状本体部は後部側壁部にペースト状薬剤入りチューブを装着するための装着部を備えていることを特徴とするペースト状薬剤注入器具。
【請求項２】
前記筒状本体部は、後部内面に内側に向かって突出する凸部を有し、前記プランジャーは前部に前記筒状本体部の前記凸部に当接して係止される係止部を有している請求項１に記載のペースト状薬剤注入器具。
【請求項３】
前記筒状本体部は後部側壁部に外方に向かって延出して設けられたグリップを有している請求項１または２に記載のペースト状薬剤注入器具。
【発明の詳細な説明】
【技術分野】
【０００１】
本発明は、ペースト状薬剤を肛門等より体内へ注入する際に使用して好適なペースト状薬剤注入器具に関するものである。
【背景技術】
【０００２】
従来より、座薬などの薬剤を体内に注入する器具として、薬剤を内部に収容するシリンダーと、シリンダー内に摺動可能に配されたプランジャーとを有し、プランジャーを押圧することによって、シリンダーの先端開口より薬剤を体内に注入可能な薬剤注入器具が種々提案されている（特開平６−３１５５３８号公報または特開平１０−４３３１６号公報等）。
【０００３】
その種の薬剤注入器具の一つとして、図６ないし図８に示したペースト状薬剤注入器具５０がある。このペースト状薬剤注入器具５０は、肛門からペースト状薬剤を注入するためのものであり、図６または図７に示すように、ペースト状薬剤を内部に収容するシリンダー５１と、シリンダー５１内を長手方向に摺動可能に配されたプランジャー５２とを有している。そして、肛門からペースト状薬剤を体内に注入する場合は、まず、図７に示した状態からプランジャー５２を引き抜いた後、シリンダー５１の後端部５３内面に設けられた螺合部５４に、ペースト状薬剤入りチューブ（図示しない）の先端外周に設けられた螺合部を螺合させてシリンダー５１の後端部５３にペースト状薬剤入りチューブを装着する。その状態で、ペースト状薬剤入りチューブを押圧すると、ペースト状薬剤がシリンダー５１内部に充填される。その後、シリンダー５１の後端部５３からペースト状薬剤入りチューブを取り外し（装着を解除し）、シリンダー５１の先端部を肛門に挿入した状態で、図８に示すように、プランジャー５２を後端部５３側から差し込んで押圧することにより、シリンダー５１の先端開口からペースト状薬剤が体内に注入されるように構成されている。
【０００４】
ところで、このようなペースト状薬剤注入器具５０によるペースト状薬剤の肛門注入は一度に１０本分程行う必要があり、上記方法のようなペースト状薬剤注入器具５０に１本ずつペースト状薬剤を充填する作業は、正常時でない体調のもとでは極めて負担が大きかった。また、薬剤準備に際してペースト状薬剤が手等に付着しやすく煩雑であった。さらに、肛門へのペースト状薬剤注入後は、ペースト状薬剤注入器具５０を廃棄するため、一度に多数のペースト状薬剤注入器具５０が廃棄処分となり不経済であった。
【先行技術文献】
【特許文献】
【０００５】
【特許文献１】特開平６−３１５５３８号公報
【特許文献２】特開平１０−４３３１６号公報
【発明の概要】
【発明が解決しようとする課題】
【０００６】
そこで、本発明の課題は、薬剤準備の負担が小さく、薬剤準備および薬剤注入に際してペースト状薬剤が手等に付着することもなく安定的かつ経済的に手技を行うことができるペースト状薬剤注入器具を提供することにある。
【課題を解決するための手段】
【０００７】
上記課題を解決するものは、先端開口部および後端開口部を備えペースト状薬剤を内部に収容するための筒状本体部と、該筒状本体部内を長手方向に摺動可能に配されたプランジャーとを有し、前記筒状本体部は後部側壁部にペースト状薬剤入りチューブを装着するための装着部を備えていることを特徴とするペースト状薬剤注入器具。
【０００８】
前記筒状本体部は、後部内面に内側に向かって突出する凸部を有し、前記プランジャーは前部に前記筒状本体部の前記凸部に当接して係止される係止部を有していることが好ましい。前記筒状本体部は後部側壁部に外方に向かって延出して設けられたグリップを有していることが好ましい。
【発明の効果】
【０００９】
請求項１に記載したペースト状薬剤注入器具によれば、薬剤準備の負担が極めて小さく、薬剤準備および薬剤注入に際してペースト状薬剤が手等に付着することもなく安定的かつ経済的に手技を行うことができるペースト状薬剤注入器具となる。
請求項２に記載したペースト状薬剤注入器具によれば、プランジャーが筒状本体部の後端開口部から抜き落ちることのないペースト状薬剤注入器具が構成され、繰り返し行われる筒状本体部内へのペースト状薬剤の充填をより安定的に行うことができる。
請求項３に記載したペースト状薬剤注入器具によれば、グリップを把持することにより、筒状本体部内へのペースト状薬剤の充填および肛門への注入をより安定的に行うことができる。
【図面の簡単な説明】
【００１０】
【図１】本発明のペースト状薬剤注入器具の一実施例の縦断面図である。
【図２】図１のＡ−Ａ線断面図である。
【図３】図１のＢ−Ｂ線断面図である。
【図４】図１に示したペースト状薬剤注入器具の作用を説明するための縦断面図である。
【図５】図４のＣ−Ｃ線端面図である。
【図６】従来のペースト状薬剤注入器具の斜視図である。
【図７】図６に示したペースト状薬剤注入器具の使用前の縦断面図である。
【図８】図６に示したペースト状薬剤注入器具の作用を説明するための縦断面図である。
【発明を実施するための形態】
【００１１】
本発明は、筒状本体部４が後部側壁部６にペースト状薬剤入りチューブＴを装着するための装着部７を備えているため、薬剤準備に際しては、図４に示すように、装着部７にペースト状薬剤入りチューブＴを装着する共にプランジャー５を後方へ移動させた状態でペースト状薬剤入りチューブＴを押圧することで筒状本体部４内にペースト状薬剤Ｓを充填することができる。薬剤注入に際しては、肛門に先端開口部２を挿入した状態で、図１に示すように、プランジャー５を前方へ移動させることにより、ペースト状薬剤Ｓを肛門内に注入することができる。
【００１２】
そして、これらの動作を１本のペースト状薬剤注入器具１にて繰り返し行うことにより、ペースト状薬剤入りチューブＴの装着または装着解除を繰り返して多数のペースト状薬剤注入器具内へ薬剤を充填する薬剤準備を行う必要がなく、薬剤準備の負担が極めて小さく、薬剤準備および薬剤注入に際してペースト状薬剤が手に付着することもなく経済的なペースト状薬剤注入器具１を実現した。
【実施例１】
【００１３】
本発明のペースト状薬剤注入器具を図１ないし図５に示した一実施例を用いて説明する。
この実施例のペースト状薬剤注入器具１は、図１に示すように、先端開口部２および後端開口部３を備えペースト状薬剤Ｓを内部に収容するための筒状本体部４と、筒状本体部４内を長手方向に摺動可能に配されたプランジャー５とを有し、筒状本体部４は後部側壁部６にペースト状薬剤入りチューブＴを装着するための装着部７を備えている。以下、各構成について順次詳述する。
【００１４】
この実施例のペースト状薬剤注入器具１では、筒状本体部４とプランジャー５がそれぞれ樹脂材料にて一体成形されている。筒状本体部４は、内部にペースト状薬剤Ｓを収容するための部材であり、ペースト状薬剤Ｓは後端開口部３を介して挿通されたプランジャー５に押し出されることにより、先端開口部２から肛門内に注入されるように構成されている。
【００１５】
装着部７は、図１または図４に示すように、ペースト状薬剤入りチューブＴ（この実施例では、筒状本体部４内にペースト状薬剤Ｓを２０回充填できる内容量を有している。）を装着するための部位であり、筒状本体部４の後部側壁部６に設けられている。
【００１６】
具体的には、装着部７は、筒状本体部４の長手方向に対して直交する方向に向かって延出した筒状部７ａと、筒状部７ａの内面に設けられた螺合部７ｂと、薬剤流入口７ｃを有しており、螺合部７ｂにペースト状薬剤入りチューブＴの先端外周に設けられた螺合部を螺合させることにより、筒状本体部４にペースト状薬剤入りチューブＴを装着できるように構成されている。
【００１７】
筒状本体部４は、図１または図４に示すように、後部側壁部６に外方に向かって延出して設けられたグリップ８を有している。このようなグリップ８を有することにより、筒状本体部４内へのペースト状薬剤Ｓの充填および肛門への注入に際しては、このグリップ８を把持することで、より安定的に薬剤充填手技および薬剤注入手技を行うことができる。
【００１８】
なお、この実施例のグリップ８は、後部側壁部６において装着部７と対向する位置（１８０°離間した位置）に設けられており、これにより、グリップ８を把持して安定的にペースト状薬剤入りチューブＴの装着または装着解除が可能となる。ただし、これに限定されるものではなく、例えばグリップが、後部側壁部において装着部と略９０°離間した位置に設けられたものなども発明の範疇に包含される。
【００１９】
プランジャー５は、筒状本体部４内に充填されたペースト状薬剤Ｓを前方側に押し出して先端開口部２から吐出させ肛門を介して体内に注入させるための部材であり、後端開口部３を挿通し筒状本体部４の長手方向に往復摺動可能に配されている。
【００２０】
具体的には、プランジャー５の前部５ａは、図２に示すように、筒状本体部４の内周面の径より若干小さい径の円柱体に構成されており、その先端面は円形となり、筒状本体部４内に充填されたペースト状薬剤Ｓを前方に押し出し可能に構成されている。
【００２１】
そして、筒状本体部４は、後部内面９に内側に向かって突出する凸部１０を有し、プランジャー５は前部５ａにこの凸部１０に当接して係止される係止部１１を有している。プランジャー５がこのような係止部１１を有することにより、図４に示すように、プランジャー５を後退させた際に、筒状本体部４の後端開口部３からプランジャー５が抜き落ちないペースト状薬剤注入器具１を構成でき、繰り返し行われる筒状本体部４内へのペースト状薬剤Ｓの充填をより安定的に行うことができる。
【００２２】
具体的には、筒状本体部４の後部内面９に設けられた凸部１０は、図５に示すように、上方に向かって突出し内周面を横断する凸部に構成されており、この凸部１０の先端面に、プランジャー５の円柱体に構成された前部５ａの後端面（係止部１１）が面当接して係止されるように構成されている。なお、プランジャー５の前部５ａより後方は、図３または図５に示すように、下方が略三日月状に切り欠かれており、これにより、凸部１０が設けられていても、それより後方へプランジャー５が移動可能に構成されている。
【００２３】
また、プランジャー５は、最後方に移動させた際、図４に示すように、プランジャー５が装着部７の薬剤流入口７ｃを閉塞しないように、プランジャー５の先端面が薬剤流入口７ｃの後方側位置と同一位置か、それより後方側に位置できるよう構成されている。
【００２４】
他方、プランジャー５の後端部にはフランジ（拡径部）１２が設けられており、フランジ１２の後端面を押圧してプランジャー５を最前方に前進させた際に、図１に示すように、フランジ１２の前面が後端開口部３を構成する筒状本体部４の後端面に面当接して係止されるように構成されている。
【００２５】
つぎに、ペースト状薬剤注入器具１の使用方法について説明する。
ペースト状薬剤注入器具１の使用に際しては、まず、図１に示すように、装着部７の螺合部７ｂにペースト状薬剤入りチューブＴの螺合部を螺合させて、筒状本体部４にペースト状薬剤入りチューブＴを装着する。つぎに、図４に示すように、プランジャー５を引張して最後方まで移動させた後、ペースト状薬剤入りチューブＴを押圧して筒状本体部４内にペースト状薬剤Ｓを充填する。この状態で、筒状本体部４の先端開口部２を肛門内に挿入しプランジャー５を押圧することにより、ペースト状薬剤Ｓを体内に注入することができる。その後、肛門から抜去してプランジャーを引張し最後方まで移動させた後、ペースト状薬剤入りチューブＴを押圧して筒状本体部４内にペースト状薬剤Ｓを充填し肛門に注入する。この動作を十回ほど繰り返しペースト状薬剤Ｓを肛門を介して体内に注入する。
【００２６】
このように、本発明のペースト状薬剤注入器具１では、プランジャー５を後退させた状態でペースト状薬剤入りチューブＴを押圧することで筒状本体部４内に充填することができ、薬剤注入に際しては、肛門に先端開口部２を挿入した状態で、プランジャー５を前方へ摺動させることにより、ペースト状薬剤Ｓを肛門内に注入することができる。そして、これらの動作を繰り返すことにより薬剤注入が可能であり、正常時でない体調のもとでペースト状薬剤入りチューブの装着および装着解除を繰り返して１０本の薬剤準備を行う必要もなく薬剤準備の負担が極めて小さく、薬剤準備に際してペースト状薬剤が手に付着することもなく、さらに１回の治療で廃棄されるペースト状薬剤注入器具１は１本でありより経済的に治療を行うことができる。
【符号の説明】
【００２７】
１    ペースト状薬剤注入器具
２    先端開口部
３    後端開口部
４    筒状本体部
５    プランジャー
６    後部側壁部
７    装着部
７ａ  筒状部
７ｂ  螺合部
７ｃ  薬剤流入口
８    グリップ
９    後部内面
１０  凸部
１１  係止部
１２  フランジ
Ｓ    ペースト状薬剤
Ｔ    ペースト状薬剤入りチューブ
【図１】
2014226227.tif 000003
【図２】
2014226227.tif 000004
【図３】
2014226227.tif 000005
【図４】
2014226227.tif 000006
【図５】
2014226227.tif 000007
【図６】
2014226227.tif 000008
【図７】
2014226227.tif 000009
【図８】
2014226227.tif 000010